(57)【特許請求の範囲】
【請求項１】
芯部と前記芯部の上下面に所定間隔をもって張設固定された上下板から構成されるパレット本体と、
前記パレット本体における四隅部分に垂直状態方向に設けられた支柱受けパイプによって形成される４個の第１種支柱取り付け孔部と、
前記パレット本体における前後辺の夫々の中心と左右辺の夫々の中心の４箇所に垂直状態方向に設けられた支柱受けパイプによって形成される４個の第２種支柱取り付け孔部と、
前記第１種支柱取り付け孔部、又は、前記第２種支柱取り付け孔部に上方から挿脱自在の外径を有する所定高さのパイプから成る支柱と、
前記第１種支柱取り付け孔部に前記支柱を植設する場合に、前部左右の前記支柱上端を相互に連結すると共に、後部左右の前記支柱上端を相互に連結し、前記第２種支柱取り付け孔部に前記支柱を植設する場合に、前部と右部の前記支柱上端を相互に連結すると共に、左部と後部の前記支柱上端を相互に連結する伸縮自在の２本の第３ａ種連結バーと、
前記第１種支柱取り付け孔部に前記支柱を植設する場合に、左部前後の前記支柱上端を相互に連結すると共に、右部前後の前記支柱上端を相互に連結し、前記第２種支柱取り付け孔部に前記支柱を植設する場合に、前部と左部の前記支柱上端を相互に連結すると共に、右部と後部の前記支柱上端を相互に連結する伸縮自在の２本の第３ｂ種連結バーと、
前記第１種支柱取り付け孔部に植設された４本の前記支柱間に張設される固定シート面並びに開閉シート面を有するシート部、前記シート部の外面に取り付けられる前記支柱への固定部、及び、前記開閉シート面を前記固定シート面に連結するために結束する結束バンドを具備する側壁シートと、
前記第２種支柱取り付け孔部に植設された前記支柱の内側に設けられる前記支柱の高さより少し短く構成された円筒状胴部、前記円筒状胴部の下面に張設された底面、前記円筒状胴部の上面に横ファスナーを介して張設された天井面、及び、前記円筒状胴部の下部に連設された給排口を有するタンク部を具備すると共に前記タンク部の外面に取り付けられた前記支柱への固定部を具備するソフトタンクとを備え、前記支柱の植設位置を変え、前記支柱に合わせて、前記２本の第３ａ種連結バーと前記２本の第３ｂ種連結バーとを伸縮させ前記支柱を相互に連結することにより、前記側壁シートと、前記ソフトタンクとを取り換え自在に構成されていることを特徴とするパレット。
【請求項２】
前記固定部は、前記支柱を内方側から包み縦ファスナーを閉じることによって前記支柱に夫々固定されることを特徴とする請求項１記載のパレット。
【請求項３】
前記芯部を構成する中心角パイプ及び左方と右方の角パイプは、前記支柱及び側壁シート、又は、ソフトタンクを収納自在に構成され、端部を蓋によって開閉自在に構成されていることを特徴とする請求項１又は２記載のパレット。
【請求項４】
前記蓋は、前記中心角パイプ、及び／又は、左方と右方の角パイプの端部に蝶番を介して開閉自在に設けられ、前記蓋内面側にラッチケースが固設され、前記ラッチケースにラッチが摺動自在に付勢されて設けられ、前記ラッチは、その後端部に前記蓋の外方に延びる引張りワイヤーが連結され、前記ラッチ先端に対応する前記角パイプの内端部には、前記ラッチ先端部を係合自在のラッチ受が設けられ、
前記蓋を閉めると、前記ラッチが付勢により前記ラッチ受に係合して前記蓋を閉じた状態に保持し、前記引張りワイヤーを引張ると、前記ラッチが前記ラッチ受から外れ、前記蓋が開くように構成されていることを特徴とする請求項３記載のパレット。
【請求項５】
前記蓋内面側に内方に突設する突設ピンが設けられ、一方、前記突設ピンに対応させて、前記支柱受パイプ及び前記支柱に前記突設ピンを貫入させるための貫入孔が開設され、
前記蓋を閉じた時、前記突設ピンが前記貫入孔に貫入して、前記支柱を固定するように構成されていることを特徴とする請求項３又は４記載のパレット。
【発明の詳細な説明】
【技術分野】
【０００１】
本発明は、粉粒体、液体、箱物の積込み積み下ろしが容易であり、多目的に利用できると共に、積込んだ物品を落下させることがなく、作業終了時に支柱、シート、ソフトタンク等をパレット本体内に収納できるパレットに関する。
【背景技術】
【０００２】
此種従来のパレットは、一般に天板と、床板とが、連結部材を介し所定間隔離間して固設されており、天板と、床板との間にフォークリフトのフォークを差し込める間隙が形成されている。
又、天板と、床板と、連結部材とが合成樹脂等で一体に形成されたパレットも知られている。
それらのパレットは共通して次のような特徴を備えている。
（１）天板に物品を載置できる。
（２）パレットにフォークリフトのフォークを差し込んで、パレットを昇降でき、フォークリフトで搬送できる。
（３）物品を載置したパレットを段積みできる。
【０００３】
此種の技術の先行文献として、例えば、特許文献１及び特許文献２がある。
特許文献１は、貨物を積載する天板と、天板を下方で支える底板と、天板と底板とを接離可能に連結する接合部からなり、フォークリフトを挿入しようとすると接合部が伸びフォークリフトの挿入が可能となり、フォークリフトが抜かれると接合部が縮んだ状態となり、省スペース化を図ることができる積載用パレットが記載されている。
【０００４】
又、特許文献２は、天板及び底板を備えると共に、天板と底板を連結するように多数のリブが設けられ、リブ中の一部にフォークが差し込まれる差込口が配設されている合成樹脂性パレットであって、天板または、天板と底板の表面に、天板または、天板と底板を形成する素材と同一の素材からなる複数の凸条が一体に配設されており、且つ、凸条が配設されている天板または、天板と底板の開口率が２０％以下である合成樹脂製パレットが記載されている。
【特許文献１】特開２００５−３３５８０９号公報
【特許文献２】特開平９−１７５５３５号公報
【発明の開示】
【発明が解決しようとする課題】
【０００５】
従来の技術には、一応次のような問題点を指摘することができる。
ａ．積込んだ物品が落下することがある。
ｂ．落下を防止するため、支柱を固定してあるものは、物品の出し入れに問題がある。
ｃ．多目的に利用できない。
【０００６】
以上の現状に鑑み、本発明は粉粒体、液体、箱物の積込み積み下ろしが容易であり、多目的に利用できると共に、積込んだ物品を落下させることがなく、作業終了時に支柱、シート、ソフトタンク等をパレット本体内に収納できるパレットを提供することを目的とする。
【課題を解決するための手段】
【０００９】
請求項１に係る発明は、芯部と前記芯部の上下面に所定間隔をもって張設固定された上下板から構成されるパレット本体と、
前記パレット本体における四隅部分に垂直状態方向に設けられた支柱受けパイプによって形成される４個の第１種支柱取り付け孔部と、
前記パレット本体における前後辺の夫々の中心と左右辺の夫々の中心の４箇所に垂直状態方向に設けられた支柱受けパイプによって形成される４個の第２種支柱取り付け孔部と、
前記第１種支柱取り付け孔部、又は、前記第２種支柱取り付け孔部に上方から挿脱自在の外径を有する所定高さのパイプから成る支柱と、
前記第１種支柱取り付け孔部に前記支柱を植設する場合に、前部左右の前記支柱上端を相互に連結すると共に、後部左右の前記支柱上端を相互に連結し、前記第２種支柱取り付け孔部に前記支柱を植設する場合に、前部と右部の前記支柱上端を相互に連結すると共に、左部と後部の前記支柱上端を相互に連結する伸縮自在の２本の第３ａ種連結バーと、
前記第１種支柱取り付け孔部に前記支柱を植設する場合に、左部前後の前記支柱上端を相互に連結すると共に、右部前後の前記支柱上端を相互に連結し、前記第２種支柱取り付け孔部に前記支柱を植設する場合に、前部と左部の前記支柱上端を相互に連結すると共に、右部と後部の前記支柱上端を相互に連結する伸縮自在の２本の第３ｂ種連結バーと、
前記第１種支柱取り付け孔部に植設された４本の前記支柱間に張設される固定シート面並びに開閉シート面を有するシート部、前記シート部の外面に取り付けられる前記支柱への固定部、及び、前記開閉シート面を前記固定シート面に連結するために結束する結束バンドを具備する側壁シートと、
前記第２種支柱取り付け孔部に植設された前記支柱の内側に設けられる前記支柱の高さより少し短く構成された円筒状胴部、前記円筒状胴部の下面に張設された底面、前記円筒状胴部の上面に横ファスナーを介して張設された天井面、及び、前記円筒状胴部の下部に連設された給排口を有するタンク部を具備すると共に前記タンク部の外面に取り付けられた前記支柱への固定部を具備するソフトタンクとを備え、前記支柱の植設位置を変え、前記支柱に合わせて、前記２本の第３ａ種連結バーと前記２本の第３ｂ種連結バーとを伸縮させ前記支柱を相互に連結することにより、前記側壁シートと、前記ソフトタンクとを取り換え自在に構成されていることを特徴とするパレットを提供するものである。
【００１０】
請求項２に係る発明は、前記固定部は、前記支柱を内方側から包み縦ファスナーを閉じることによって前記支柱に夫々固定されることを特徴とする請求項１記載のパレットを提供するものである。
【００１１】
請求項３に係る発明は、前記芯部を構成する中心角パイプ及び左方と右方の角パイプは、前記支柱及び側壁シート、又は、ソフトタンクを収納自在に構成され、端部を蓋によって開閉自在に構成されていることを特徴とする請求項１又は２記載のパレットを提供するものである。
【００１２】
請求項４に係る発明は、前記蓋は、前記中心角パイプ、及び／又は、左方と右方の角パイプの端部に蝶番を介して開閉自在に設けられ、前記蓋内面側にラッチケースが固設され、前記ラッチケースにラッチが摺動自在に付勢されて設けられ、前記ラッチは、その後端部に前記蓋の外方に延びる引張りワイヤーが連結され、前記ラッチ先端に対応する前記角パイプの内端部には、前記ラッチ先端部を係合自在のラッチ受が設けられ、
前記蓋を閉めると、前記ラッチが付勢により前記ラッチ受に係合して前記蓋を閉じた状態に保持し、前記引張りワイヤーを引張ると、前記ラッチが前記ラッチ受から外れ、前記蓋が開くように構成されていることを特徴とする請求項３記載のパレットを提供するものである。
【００１３】
請求項５に係る発明は、前記蓋内面側に内方に突設する突設ピンが設けられ、一方、前記突設ピンに対応させて、前記支柱受パイプ及び前記支柱に前記突設ピンを貫入させるための貫入孔が開設され、
前記蓋を閉じた時、前記突設ピンが前記貫入孔に貫入して、前記支柱を固定するように構成されていることを特徴とする請求項３又は４記載のパレットを提供するものである。
【発明の効果】
【００１４】
本発明は、上述のように構成されているので、次のような効果を期待することができる。
ａ．粉粒体、液体、箱物の積込み積み下ろしが容易であり、多目的に利用できる。
ｂ．積込んだ物品が落下する虞がない。
ｃ．作業終了時に、支柱及び側壁シート又はソフトタンクを収納できるので、取扱いの利便性が良く、移動も容易であり、又、保管場所を無駄にしない。
ｄ．中心角パイプ、及び／又は、左方と右方の角パイプの蓋にラッチ及び引張りワイヤーを設けることにより、蓋を閉じた状態に保持できると共に、蓋の開閉が容易である。
ｅ．蓋内面側に内方に突設する突設ピンを設けることにより、蓋を閉じた時、支柱を固定することができる。
【発明を実施するための最良の形態】
【００１５】
以下、実施例を示した図面を参照しつつ本発明の実施の形態を説明する。尚、説明の都合上、後に説明する発明に於いて、先に説明した発明と同一構成部分については同一符号を付してその説明を省略する。
図１に於いて、１は本発明の第１発明のパレットであり、パレット１は、平面視略方形のパレット本体１ａと、第１種支柱取り付け孔部１ｂと、支柱１ｃと、第１ａ種連結バー１ｄと、第１ｂ種連結バー１ｅと、側壁シート１ｆとから構成されている。
【００１６】
パレット本体１ａは、図２に示すように、芯部１ａ１と、この芯部１ａ１の上下面に所定間隔をもって張設固定された上下板１ａ２、１ａ３とから構成され、芯部１ａ１は前後方向に延びる中心角パイプ１ａ１１と、中心角パイプ１ａ１１に対して所定間隔をもって平行に配された左方と右方の角パイプ１ａ１２、１ａ１２とで構成され、これら中心角パイプ１ａ１１、左方と右方の角パイプ１ａ１２、１ａ１２の前端面には、開閉自在の蓋１ａ１ｆが設けられている。
また、左方と右方の角パイプ１ａ１２、１ａ１２の側壁における前後端近傍には左右方向に第１ピン孔ｐｈ１が開設されている。
蓋１ａ１ｆを開口させると、中心角パイプ１ａ１１、左方と右方の角パイプ１ａ１２、１ａ１２の空洞部は細長い収納室となるので、図３に示すように、支柱１ｃ、後述する側壁シート１ｆなどを収納するのに便利である。
中心角パイプ１ａ１１などは鋼管が好適である。
【００１７】
第１種支柱取り付け孔部１ｂは、パレット本体１ａにおける四隅部分に垂直状態で設けられた図３及び図４に示す支柱受けパイプ１ｂ１と、この支柱受けパイプ１ｂ１に左右水平方向に開設された第２ピン孔ｐｈ２とから構成されている。
すなわち、第１種支柱取り付け孔部１ｂは、平面視略方形のパレット本体１ａ四隅に配設されていることになる。
【００１８】
図５に示すように、支柱１ｃは、第１種支柱取り付け孔部１ｂに上方から挿脱自在の外径を有する所定高さのパイプから成る支柱本体１ｃ１から成り、当該支柱本体１ｃ１の下端に第２ピン孔ｐｈ２に対応する第３ピン孔ｐｈ３が開設されていると共に、支柱本体１ｃ１の上端には左右方向に第４ピン孔ｐｈ４が開設されている。
ここで、パレット本体１ａに対する支柱１ｃの装着工程を説明する。
（１）第１種支柱取り付け孔部１ｂ，１ｂ，１ｂ，１ｂに垂直状態で設けられた支柱受けパイプ１ｂ１，１ｂ１，１ｂ１，１ｂ１に支柱１ｃ，１ｃ，１ｃ，１ｃを挿入起立させる（植設する）。
（２）第１、第２、第３のピン孔ｐｈ１，ｐｈ２，ｐｈ３に第１ピンｐ１を貫入して、支柱１ｃを夫々固定する。
【００１９】
第１ａ種連結バー１ｄは、パレット本体１ａの四隅に起立された４本の支柱１ｃ、１ｃ…における前部左右に位置する支柱１ｃ、１ｃ間と、後部左右に位置する支柱１ｃ、１ｃの上端間に夫々掛架できる寸法に構成された連結バー本体１ｄ１から成り、連結バー本体１ｄ１の両端に支柱１ｃ，１ｃにおける上端開口部に対応する円孔１ｄ２，１ｄ２が開設されている。
【００２０】
第１ｂ種連結バー１ｅは、パレット本体１ａの四隅に起立された４本の支柱１ｃ、１ｃ…における左方側の前後に位置する支柱１ｃ、１ｃ間と右方側の前後に位置する支柱１ｃ、１ｃの上端間に夫々掛架できる寸法に構成された連結バー本体１ｅ１と、当該連結バー本体１ｅ１の両端下面に下方に向け突設された小突起１ｅ２，１ｅ２から構成され、この小突起１ｅ２は第１ａ種連結バー１ｄにおける円孔１ｄ２を介して支柱本体１ｃ１における上端開口部に挿入するよう構成されている。
そして、この小突起１ｅ２には支柱１ｃにおける第４ピン孔ｐｈ４に対応する第５ピン孔ｐｈ５が開設され、第４ピン孔ｐｈ４と第５ピン孔ｐｈ５とは第２ピンｐ２を貫入して固定されている。
【００２１】
而して、前部左右の支柱１ｃ，１ｃ上端間と、後部左右の支柱１ｃ，１ｃ上端間に第１ａ種連結バー１ｄ，１ｄを掛架し、第１ｂ種連結バー１ｅ，１ｅの小突起１ｅ２，１ｅ２，１ｅ２，１ｅ２を第１ａ種連結バー１ｄ，１ｄの円孔１ｄ２，１ｄ２，１ｄ２，１ｄ２を介して支柱本体１ｃ１，１ｃ１，１ｃ１，１ｃ１における上端開口部に夫々挿入すると、第１ａ種連結バー１ｄ，１ｄは、前部左右の支柱１ｃ，１ｃ上端を相互に連結すると共に、後部左右の支柱１ｃ，１ｃ上端を相互に連結し、第１ｂ種連結バー１ｅ，１ｅは、左部前後の支柱１ｃ，１ｃ上端を相互に連結すると共に、右部前後の支柱１ｃ，１ｃ上端を相互に連結する。
【００２２】
図６乃至図１０に示すように、側壁シート１ｆは、シート部１ｆ１と、このシート部１ｆ１の外面に取り付けられた支柱１ｃへの固定部１ｆ２と、結束バンド１ｆ３とから構成されている。
図７に示すように、シート部１ｆ１は、支柱１ｃの高さより少し短い幅の正面視横長に構成されたシートを、図６に示すパレット本体１ａに起立された４本の支柱１ｃ１，１ｃ１，１ｃ１，１ｃ１間の間隔に対応するよう図８に示す如く左方から右方に向け第１、第２、第３と３枚の固定シート面１ｆ１１，１ｆ１１，１ｆ１１に区分され、その右端に１枚の開閉シート面１ｆ１２が連結状態で区分されている。
【００２３】
支柱１ｃへの固定部１ｆ２は、支柱１ｃの外周面を包むよう構成された縦布筒状体１ｆ２１とこの縦布筒状体１ｆ２１の中心に取り付けられた縦ファスナー１ｆ２２から構成され、この支柱１ｃへの固定部１ｆ２は前記シート部１ｆ１における各固定シート面１ｆ１１，１ｆ１１，１ｆ１１における両縦辺に添設されている。
結束バンド１ｆ３は、開閉シート面１ｆ１２の先端部分と第１の固定シート面１ｆ１１間に配設されている。
【００２４】
そして、図６に示す如く、側壁シート１ｆの固定部１ｆ２の縦布筒状体１ｆ２１によって、各支柱１ｃを内方側から包み、縦ファスナー１ｆ２２を閉じて固定部１ｆ２を支柱１ｃに固定する。
図１に示す被収納物ｎを収納後は、開閉シート面１ｆ１２を結束バンド１ｆ３で第１の固定シート面１ｆ１１に連結する。結束バンド１ｆ３による連結を解き、開閉シート面１ｆ１２を開けると被収納物ｎの出し入れが可能になる。
縦ファスナー１ｆ２２を開くと、側壁シート１ｆを１ｃから取り外すことができる。
【００２５】
図１１は、トラック１１の荷台に、被収納物ｎを収納した複数のパレット１，１…を段積み状態に積載した状態を示している。このように、第１発明のパレット１は、被収納物ｎを収納した状態で、容易に、且つ、効率良く段積みすることが可能である。
【００２６】
図１２に於いて、２は本発明の第２発明のパレットであり、パレット２は、パレット本体１ａと、パレット本体１ａにおける前後辺の夫々の中心と左右辺の夫々の中心の４箇所に設けられた第２種支柱取り付け孔部２ａ，２ａ，２ａ，２ａと、第２種支柱取り付け孔部２ａ，２ａ，２ａ，２ａに植設された支柱１ｃ，１ｃ，１ｃ，１ｃと、前部と右部の支柱１ｃ，１ｃ上端を相互に連結すると共に、左部と後部の支柱１ｃ，１ｃ上端を相互に連結する第２ａ種連結バー２ｂ，２ｂと、前部と左部の支柱１ｃ，１ｃ上端を相互に連結すると共に、右部と後部の支柱１ｃ，１ｃ上端を相互に連結する第２ｂ種連結バー２ｃ，２ｃと、第２種支柱取り付け孔部２ａ，２ａ，２ａ，２ａに植設された支柱１ｃ，１ｃ，１ｃ，１ｃの内側に設けられるソフトタンク２ｄとから構成されている。
そして、前記ソフトタンク２ｄは、支柱１ｃの高さより少し短く構成された円筒状胴部２ｄ１１と、円筒状胴部２ｄ１１の下面に張設された底面２ｄ１２と、円筒状胴部２ｄ１１の上面に横ファスナー２ｄ１３を介して張設された天井面２ｄ１４と、円筒状胴部２ｄ１１の下部に連設された給排口２ｄ１５とを有するタンク部２ｄ１を具備すると共に、タンク部２ｄ１の外面に取り付けられた前記支柱１ｃへの固定部２ｄ２を具備している。
【００２７】
パレット本体１ａは、図１３に示す如く、芯部１ａ１とこの芯部１ａ１の上下面に所定間隔をもって張設固定された上下板１ａ２、１ａ３から構成され、芯部１ａ１は前後方向の中心角パイプ１ａ１１と、中心角パイプ１ａ１１に対して所定間隔をもって平行に配された左方と右方の角パイプ１ａ１２、１ａ１２とで構成され、これら中心角パイプ１ａ１１及び左方と右方の角パイプ１ａ１２、１ａ１２の前端面には開閉自在の蓋１ａ１ｆ，１ａ１ｆ…が設けられている。
【００２８】
また、左方と右方の角パイプ１ａ１２、１ａ１２の側壁における前後方向の中心位置に左右方向に第６ピン孔ｐｈ６，ｐｈ６が開設されている。
蓋１ａ１ｆを開口すると、図１４及び図１５に示す如く、中心角パイプ１ａ１１、左方と右方の角パイプ１ａ１２、１ａ１２の空洞部は細長い収納室となるので、支柱１ｃ、ソフトタンク２ｄなどを収納するのに便利である。
中心角パイプ１ａ１１などは鋼管が好適である。
【００２９】
第２種支柱取り付け孔部２ａは、パレット本体１ａにおける前後辺の夫々の中心と左右辺の夫々の中心の４箇所に垂直状態で設けられた図１６に示す支柱受けパイプ２ｂ２と、この支柱受けパイプ２ｂ２に左右水平方向に開設された第２ピン孔ｐｈ２とから構成されている。
すなわち、第２種支柱取り付け孔部２ａは、パレット本体１ａの平面視略菱形における四隅に配設されていることになる。
【００３０】
図１７に示すように、支柱１ｃは、第２種支柱取り付け孔部２ａに上方から挿脱自在の外径を有する所定高さのパイプでなる支柱本体１ｃ１から成り、図１８に示すように、当該支柱本体１ｃ１の下端には第２ピン孔ｐｈ２に対応する第３ピン孔ｐｈ３が左右方向に開設されていると共に、支柱本体１ｃ１の上端には左右方向に第４ピン孔ｐｈ４が開設されている。
ここで、パレット本体１ａに対する支柱１ｃの装着工程を説明する。
（１）第２種支柱取り付け孔部２ａ，２ａ，２ａ，２ａに垂直状態で設けられた支柱受けパイプ２ｂ２，２ｂ２，２ｂ２，２ｂ２に支柱１ｃ，１ｃ，１ｃ，１ｃを挿入起立させる。
（２）第６、第２、第３のピン孔ｐｈ６，ｐｈ２，ｐｈ３に第１ピンｐ１を貫入して、支柱１ｃを夫々固定する。
【００３１】
図１７に示す如く、第２ａ種連結バー２ｂは、パレット本体１ａにおける第２種支柱取り付け孔部２ａ，２ａ，２ａ，２ａに植設された４本の支柱１ｃ，１ｃ，１ｃ，１ｃのうち前部と右部の支柱１ｃ，１ｃ上端に掛架できると共に、左部と後部の支柱１ｃ，１ｃ上端に掛架できる寸法に構成された連結バー本体２ｂ１からなり、当該連結バー本体２ｂ１の両端には支柱本体１ｃ１における上端開口部に対応する円孔２ｂ３，２ｂ３が開設されている。
【００３２】
第２ｂ種連結バー２ｃは、パレット本体１ａにおける第２種支柱取り付け孔部２ａ，２ａ，２ａ，２ａに植設された４本の支柱１ｃ，１ｃ，１ｃ，１ｃのうち前部と左部の支柱１ｃ，１ｃ上端に掛架できると共に、右部と後部の支柱１ｃ，１ｃ上端に掛架できる寸法に構成された連結バー本体２ｃ１と、当該連結バー本体２ｃ１の両端下面に下方に向け突設された小突起２ｃ２，２ｃ２とから構成され、この小突起２ｃ２は第２ａ種連結バー２ｂにおける円孔２ｂ３，２ｂ３を介して支柱本体１ｃ１，１ｃ１における上端開口部に挿入するよう構成されている。そして、この小突起２ｃ２には支柱１ｃにおける第４ピン孔ｐｈ４に対応する第５ピン孔ｐｈ５が開設され、第４ピン孔ｐｈ４と第５ピン孔ｐｈ５とは第２ピンｐ２を貫入して固定されている。
【００３３】
図１８乃至図２１に示す如く、ソフトタンク２ｄは、タンク部２ｄ１と、このタンク部２ｄ１の外面に取り付けられた支柱１ｃへの固定部２ｄ２，２ｄ２…とから構成されている。
タンク部２ｄ１は、支柱１ｃの高さより少し短く構成された円筒状胴部２ｄ１１と、円筒状胴部２ｄ１１の下面に張設された底面２ｄ１２と、円筒状胴部２ｄ１１の上面に横ファスナー２ｄ１３を介して張設された天井面２ｄ１４と、円筒状胴部２ｄ１１の下部に連設された給排口２ｄ１５とから構成されている。
支柱１ｃへの固定部２ｄ２は、支柱１ｃの外周面を包むよう構成された縦布筒状体２ｄ２１とこの縦布筒状体２ｄ２１の中心に取り付けられた縦ファスナー２ｄ２２から構成され、この支柱１ｃへの固定部２ｄ２は縦布筒状体２ｄ２１に平面視４等分した位置に配設されている。
【００３４】
そして、図１９に示すように、固定部２ｄ２で各支柱１ｃを内側から包み縦ファスナー２ｄ２２を閉じて固定部２ｄ２を支柱１ｃに固定し、ソフトタンク２ｄを支柱１ｃ，１ｃ，１ｃ，１ｃの内側のパレット本体１ａ上に固定する。
図２１に示す如く、縦ファスナー２ｄ２２を開くと、ソフトタンク２ｄをパレット本体１ａから取り外すことができる。
【００３５】
図２２に於いて、３（Ａ）は本発明の第３発明のパレットの第１形態のパレットを示し、図２３に於いて、３（Ｂ）は本発明の第３発明のパレットの第２形態のパレットを示している。
即ち、本発明の第３発明のパレットは、第１形態のパレット３（Ａ）として利用することができると共に、第２形態のパレット３（Ｂ）として利用することができる兼用型の多目的パレットである。
【００３６】
更に説明すると、本発明の第３発明のパレットは、前記第１発明のパレット（図１に於いて１）と、第２発明のパレット（図１２に於いて２）の機能を兼ね備えたパレットであり、図２４に示す如く、前記第１発明のパレット（図１に於いて１）のパレット本体１ａ（図２参照）に、第２発明のパレット（図１２に於いて２）の第２種支柱取り付け孔部２ａ，２ａ，２ａ，２ａ（図１３参照）を追加開設し、図２５に示す如く、第１発明のパレット（図１に於いて１）の第１ａ種連結バー（図１に於いて１ｄ）に代えて、第２発明のパレット（図１２に於いて２）の第２ａ種連結バー（図１２に於いて２ｂ）としても兼用できる伸縮自在の第３ａ種連結バー３ａを設け、第１発明のパレット（図１に於いて１）の第１ｂ種連結バー（図１に於いて１ｅ）に代えて、第２発明のパレット（図１２に於いて２）の第２ｂ種連結バー（図１２に於いて２ｃ）としても兼用できる伸縮自在の第３ｂ種連結バー３ｂを設け、第１種支柱取り付け孔部１ｂ，１ｂ，１ｂ，１ｂに支柱１ｃ，１ｃ，１ｃ，１ｃを植設することにより第１発明のパレット（図１に於いて１）の図２２に示す側壁シート１ｆを設置できるように構成し、更に、側壁シート１ｆを取外し、第１種支柱取り付け孔部１ｂ，１ｂ，１ｂ，１ｂから支柱１ｃ，１ｃ，１ｃ，１ｃを抜き取り、図２６に示す如く、第２種支柱取り付け孔部２ａ，２ａ，２ａ，２ａに支柱１ｃ，１ｃ，１ｃ，１ｃに植設することにより第２発明のパレット（図１２に於いて２）の図２３に示すソフトタンク２ｄを設置することができるように構成したものである。
【００３７】
図２４に示す如く、第３発明のパレットのパレット本体１ａは、芯部１ａ１とこの芯部１ａ１の上下面に所定間隔をもって張設固定された上下板１ａ２、１ａ３から構成され、芯部１ａ１は前後方向の中心角パイプ１ａ１１と、中心角パイプ１ａ１１に対して所定間隔をもって平行に配された左方と右方の角パイプ１ａ１２、１ａ１２とで構成され、これら中心角パイプ１ａ１１、左方と右方の角パイプ１ａ１２、１ａ１２の前端面には、開閉自在の蓋１ａ１ｆが設けられている。
また、左方と右方の角パイプ１ａ１２、１ａ１２の側壁における前後端近傍には左右方向に第１ピン孔ｐｈ１が開設されている。
さらに、左方と右方の角パイプ１ａ１２、１ａ１２の側壁における前後方向の中心位置に左右方向に第６ピン孔ｐｈ６が開設されている。
【００３８】
そして、図２７に示すように、第１種支柱取り付け孔部１ｂには、支柱受けパイプ１ｂ１が垂直方向に設けられ、支柱受けパイプ１ｂ１には第２ピン孔ｐｈ２が左右水平方向に開設され、第２種支柱取り付け孔部２ａには、支柱受けパイプ２ｂ２が垂直方向に設けられ、支柱受けパイプ２ｂ２には第２ピン孔ｐｈ２が左右水平方向に開設されている。
【００３９】
図２８に示すように、蓋１ａ１ｆを開口させると、中心角パイプ１ａ１１、左方と右方の角パイプ１ａ１２、１ａ１２の空洞部は細長い収納室となるので、支柱１ｃ，１ｃ，１ｃ，１ｃ、側壁用シート１ｆ及びソフトタンク２ｄ等を収納するのに便利である。
中心角パイプ１ａ１１などは鋼管が好適である。
【００４０】
図２５及び図２９に示す如く、第３ａ種連結バー３ａは、パレット本体１ａの四隅の第１種支柱取り付け孔部１ｂ，１ｂ，１ｂ，１ｂに起立植設された４本の支柱１ｃ，１ｃ，１ｃ，１ｃにおける前方側の左右に位置する支柱１ｃ，１ｃ間と後方側の左右に位置する支柱１ｃ，１ｃの上端間に伸縮することで夫々掛架できる寸法に構成された連結バー本体３ａ１，３ａ１から成り、当該連結バー本体３ａ１の両端には支柱１ｃ１における上端開口部に対応する円孔３ａ２，３ａ２が開設されている。
【００４１】
図２５及び図３０に示す如く、第３ｂ種連結バー３ｂは、パレット本体３ａの四隅の第１種支柱取り付け孔部１ｂ，１ｂ，１ｂ，１ｂに起立して植設された４本の支柱１ｃ，１ｃ，１ｃ，１ｃにおける左方側の前後に位置する支柱１ｃ，１ｃ間と右方側の前後に位置する支柱１ｃ，１ｃの上端間に伸縮することで夫々掛架できる寸法に構成された連結バー本体３ｂ１，３ｂ１と、当該連結バー本体３ｂ１の両端下面に下方に向け突設された小突起３ｂ２，３ｂ２とから構成され、この小突起３ｂ２は第３ａ種連結バー３ａにおける円孔３ａ２を介して支柱本体１ｃ１における上端開口部に挿入するよう構成されている。
そして、この小突起３ｂ２には支柱１ｃにおける第４ピン孔ｐｈ４に対応する第５ピン孔ｐｈ５が開設され、第４ピン孔ｐｈ４と第５ピン孔ｐｈ５とは第２ピンｐ２を貫入して固定されている。
【００４２】
而して、パレット本体１ａの第１種支柱取り付け孔部１ｂ，１ｂ，１ｂ，１ｂに支柱１ｃ，１ｃ，１ｃ，１ｃを植設し、４本の支柱１ｃ，１ｃ，１ｃ，１ｃにおける前方側の左右に位置する支柱１ｃ，１ｃ間と後方側の左右に位置する支柱１ｃ，１ｃの上端間に伸縮自在の第３ａ種連結バー３ａを夫々掛架し、４本の支柱１ｃ，１ｃ，１ｃ，１ｃにおける左方側の前後に位置する支柱１ｃ，１ｃ間と右方側の前後に位置する支柱１ｃ，１ｃの上端間に伸縮自在の第３ｂ種連結バー３ｂを夫々掛架し、第１発明のパレット（図１に於いて１）と同様に図２２に示す側壁シート１ｆを設置すれば、第１形態のパレット３（Ａ）を組み立てることができる。
【００４３】
又、図２６に示す如く、第３ａ種連結バー３ａは、パレット本体１ａの第２種支柱取り付け孔部２ａ，２ａ，２ａ，２ａに起立して植設された４本の支柱１ｃ，１ｃ，１ｃ，１ｃにおける前部と右部に位置する支柱１ｃ，１ｃ間の上端と、左部と後部に位置する支柱１ｃ，１ｃの上端間に伸縮（この場合縮小）することで掛架され、第３ｂ種連結バー３ｂは、パレット本体１ａの第２種支柱取り付け孔部２ａ，２ａ，２ａ，２ａに起立して植設された４本の支柱１ｃ，１ｃ，１ｃ，１ｃにおける前部と左部に位置する支柱１ｃ，１ｃの上端間と、右部と後部に位置する支柱１ｃ，１ｃの上端間に伸縮（この場合縮小）することで掛架される。
【００４４】
而して、パレット本体１ａの第２種支柱取り付け孔部２ａ，２ａ，２ａ，２ａに支柱１ｃ，１ｃ，１ｃ，１ｃを植設し、４本の支柱１ｃ，１ｃ，１ｃ，１ｃにおける前部と右部に位置する支柱１ｃ，１ｃ間と、左部と後部に位置する支柱１ｃ，１ｃの上端間に伸縮自在の第３ａ種連結バー３ａを夫々掛架し、４本の支柱１ｃ，１ｃ，１ｃ，１ｃにおける前部と左部に位置する支柱１ｃ，１ｃの上端間と、右部と後部に位置する支柱１ｃ，１ｃの上端間に伸縮自在の第３ｂ種連結バー３ｂを夫々掛架し、第２発明のパレット（図１２に於いて２）と同様に図２３に示すソフトタンク２ｄを設置すれば、第２形態のパレット３（Ｂ）を組み立てることができる。
【００４５】
尚、前記第３発明のパレットに於いて、第３ａ種連結バー３ａと第３ｂ種連結バー３ｂに代えて、第１発明の第１ａ種連結バー１ｄと第１ｂ種連結バー１ｅ、及び、第２発明の第２ａ種連結バー２ｂと第２ｂ種連結バー２ｃを用いても良い。
【００４６】
図３１及び図３２は、前記本発明の第１乃至３発明のパレットの前記蓋（図２，１３，２４に於いて１ａ１ｆ）の変形例である蓋４ａを示しており、蓋４ａは、中心角パイプ１ａ１１、及び／又は、左方と右方の角パイプ１ａ１２の端部に蝶番４ｂを介して開閉自在に設けられ、蓋４ａ内面側にラッチケース４ｃが固設され、ラッチケース４ｃにラッチ４ｄが摺動自在に付勢されて設けられ、ラッチ４ｄは、その後端部に蓋４ａの外方に延びる引張りワイヤー４ｅが連結され、ラッチ４ｄ先端に対応する角パイプ（１ａ１又は１ａ１２）の内端部には、ラッチ４ｄ先端部を係合自在のラッチ受４ｆが設けられる。
そして、蓋４ａを閉めると、ラッチ４ｄが付勢によりラッチ受４ｆに係合して蓋４ａは閉じた状態に保持され、引張りワイヤー４ｅを引張ると、ラッチ４ｄがラッチ受４ｆから外れ、蓋４ａが開くように構成されている。
【００４７】
又、蓋４ａ内面側に内方に突設する突設ピン４ｇが設けられ、一方、突設ピン４ｇに対応させて、支柱受パイプ１ｂ１、２ｂ２及び支柱１ｃに突設ピン４ｇを貫入させるための貫入孔４ｈが開設されている。
そして、蓋４ａを閉じた時、突設ピン４ｇが貫入孔４ｈに貫入して、支柱１ｃを固定するように構成されている。
【図面の簡単な説明】
【００４８】
【図１】本発明による第１発明のパレットの斜視図である。
【図２】本発明による第１発明のパレット本体の斜視図である。
【図３】図２のＡ−Ａ線断面図である。
【図４】図２のＢ−Ｂ線断面図である。
【図５】本発明による第１発明のパレット本体と支柱等の関係を示す分解斜視図である。
【図６】本発明による第１発明の側壁シートと支柱との関係を示す平面断面図である。
【図７】本発明による第１発明のパレットの一部切欠正面図である。
【図８】本発明による第１発明の側壁シートを展開した正面図である。
【図９】本発明による第１発明の側壁シートを展開した背面図である。
【図１０】図８のＣ−Ｃ線断面図である。
【図１１】被収納物を収納した複数の本発明の第１発明のパレットをトラックの荷台に段積みした状態を示す説明図である。
【図１２】本発明による第２発明のパレットの斜視図である。
【図１３】本発明による第２発明のパレット本体の斜視図である。
【図１４】図１３のＤ−Ｄ線断面図である。
【図１５】図１３のＥ−Ｅ線断面図である。
【図１６】図１３のＦ−Ｆ線断面図である。
【図１７】本発明による第２発明のパレット本体と支柱との関係を示す分解斜視図である。
【図１８】本発明による第２発明のパレットの一部切欠正面図である。
【図１９】本発明による第２発明のソフトタンクと支柱との関係を示す一部平面断面図である。
【図２０】本発明による第２発明のソフトタンクの正面図である。
【図２１】本発明による第２発明のソフトタンクの平面図である。
【図２２】本発明による第３発明のパレットの第１形態のパレットの平面図である。
【図２３】本発明による第３発明のパレットの第２形態のパレットの平面図である。
【図２４】本発明による第３発明のパレット本体の斜視図である。
【図２５】本発明による第３発明の第１形態のパレットのパレット本体と支柱等の関係を示す分解斜視図である。
【図２６】本発明による第３発明の第２形態のパレットのパレット本体と支柱等の関係を示す分解斜視図である。
【図２７】図２４のＨ−Ｈ線断面図である。
【図２８】図２４のＧ−Ｇ線断面図である。
【図２９】（ａ）本発明による第３ａ種連結バーの斜視図である。（ｂ）図２９（ａ）のＬ−Ｌ線断面図である。
【図３０】（ａ）本発明による第３ｂ種連結バーの斜視図である。（ｂ）図３０（ａ）のＫ−Ｋ線断面図である。
【図３１】本発明による変形例の蓋の平面断面図である。
【図３２】本発明による変形例の蓋の側面図である。
【符号の説明】
【００４９】
１，２，３（Ａ），３（Ｂ）  パレット
１ａ  パレット本体
１ａ１  芯部
１ａ１ｆ  蓋
１ａ２  上板
１ａ３  下板
１ｂ  第１種支柱取り付け孔部
１ｂ１  支柱受けパイプ
１ｃ  支柱
１ｄ  第１ａ種連結バー
１ｅ  第１ｂ種連結バー
１ｆ  側壁シート
１ｆ１  シート部
１ｆ２  固定部
１ｆ３  結束バンド
２ａ  第２種支柱取り付け孔部
２ｂ  第２ａ種連結バー
２ｃ  第２ｂ種連結バー
２ｄ  ソフトタンク
２ｄ１  タンク部
２ｄ１１  円筒状胴部
２ｄ１２  底面
２ｄ１３  横ファスナー
２ｄ１４  天井面
２ｄ１５  給排口
２ｄ２  固定部
３ａ  第３ａ種連結バー
３ｂ  第３ｂ種連結バー
４ａ  蓋
４ｂ  蝶番
４ｃ  ラッチケース
４ｄ  ラッチ
４ｅ  ワイヤー
４ｆ  ラッチ受
４ｇ  突設ピン
４ｈ  貫入孔
【図１】
0004512122.tif 000002
【図２】
0004512122.tif 000003
【図３】
0004512122.tif 000004
【図４】
0004512122.tif 000005
【図５】
0004512122.tif 000006
【図６】
0004512122.tif 000007
【図７】
0004512122.tif 000008
【図８】
0004512122.tif 000009
【図９】
0004512122.tif 000010
【図１０】
0004512122.tif 000011
【図１１】
0004512122.tif 000012
【図１２】
0004512122.tif 000013
【図１３】
0004512122.tif 000014
【図１４】
0004512122.tif 000015
【図１５】
0004512122.tif 000016
【図１６】
0004512122.tif 000017
【図１７】
0004512122.tif 000018
【図１８】
0004512122.tif 000019
【図１９】
0004512122.tif 000020
【図２０】
0004512122.tif 000021
【図２１】
0004512122.tif 000022
【図２２】
0004512122.tif 000023
【図２３】
0004512122.tif 000024
【図２４】
0004512122.tif 000025
【図２５】
0004512122.tif 000026
【図２６】
0004512122.tif 000027
【図２７】
0004512122.tif 000028
【図２８】
0004512122.tif 000029
【図２９】
0004512122.tif 000030
【図３０】
0004512122.tif 000031
【図３１】
0004512122.tif 000032
【図３２】
0004512122.tif 000033